(57)【要約】【課題】  媒体上に記載された文字の文字認識のための定義体やその認識結果の画面表示のための定義体等をインストールする必要がなく、且つ高精度に文字認識を行なう。【解決手段】認識対象の文字を記載されるとともに文字認識位置情報と文字属性情報と文字認識位置補正情報と画面表示制御情報とを印刷された媒体から媒体画像を読み取る媒体画像読取部７と、文字認識位置情報抽出部８と、文字属性情報抽出部８と、文字認識位置補正情報抽出部９と、画面表示制御情報抽出部１７と、文字認識位置仮決定部１１と、文字認識位置決定部１２と、文字認識部１３と、文字認識結果を表示部１５に表示する表示制御部１４とをそなえて構成する。【選択図】        図１
2005284927.tif 000002
【特許請求の範囲】
【請求項１】
媒体上に記載された文字を文字認識し、その文字認識結果を表示部に表示する媒体処理装置であって、
認識対象の文字を記載されるとともに文字認識位置情報と文字属性情報と文字認識位置補正情報と画面表示制御情報とを印刷された媒体から媒体画像を読み取る媒体画像読取部と、
該媒体画像読取部によって読み取られた該媒体画像に基づいて該文字認識位置情報を抽出する文字認識位置情報抽出部と、
該媒体画像読取部によって読み取られた該媒体画像に基づいて該文字属性情報を抽出する文字属性情報抽出部と、
該媒体画像読取部によって読み取られた該媒体画像に基づいて該文字認識位置補正情報を抽出する文字認識位置補正情報抽出部と、
該媒体画像読取部によって読み取られた該媒体画像に基づいて該画面表示制御情報を抽出する画面表示制御情報抽出部と、
該書式情報抽出部によって抽出された該文字認識位置情報に基づいて、該媒体における該文字の認識位置を仮決定する文字認識位置仮決定部と、
該文字認識位置補正情報抽出部によって抽出された該文字認識位置補正情報に基づいて、該文字認識位置仮決定部によって仮決定された前記文字の認識位置を補正して該文字認識位置を決定する文字認識位置決定部と、
該媒体画像と、該文字位置決定部によって決定された該文字認識位置と、該文字属性情報抽出部によって抽出された該文字属性情報とに基づいて、該媒体画像における該文字認識位置の文字について文字認識を行なう文字認識部と、
該画面表示制御情報抽出部によって抽出された該画面表示制御情報に基づいて、該文字認識部によって行なった文字認識結果を該表示部に表示する表示制御部とをそなえることを特徴とする、媒体処理装置。
【請求項２】
媒体上に記載された文字を文字認識し、その文字認識結果を表示部に表示する媒体処理方法であって、
認識対象の文字を記載されるとともに文字認識位置情報と文字属性情報と文字認識位置補正情報と画面表示制御情報とを印刷された媒体から媒体画像を読み取る媒体画像読取ステップと、
該媒体画像読取ステップにおいて読み取られた該媒体画像に基づいて該文字認識位置情報を抽出する文字認識位置情報抽出ステップと、
該媒体画像読取ステップにおいて読み取られた該媒体画像に基づいて該文字属性情報を抽出する文字属性情報抽出ステップと、
該媒体画像読取ステップにおいて読み取られた該媒体画像に基づいて該文字認識位置補正情報を抽出する文字認識位置補正情報抽出ステップと、
該媒体画像読取ステップにおいて読み取られた該媒体画像に基づいて該画面表示制御情報を抽出する画面表示制御情報抽出ステップと、
該書式情報抽出ステップにおいて抽出された該文字認識位置情報に基づいて、該媒体における該文字の認識位置を仮決定する文字認識位置仮決定ステップと、
該文字認識位置補正情報抽出ステップにおいて抽出された該文字認識位置補正情報に基づいて、該文字認識位置仮決定ステップにおいて仮決定された前記文字の認識位置を補正して該文字認識位置を決定する文字認識位置決定ステップと、
該媒体画像と、該文字位置決定ステップにおいて決定された該文字認識位置と、該文字属性情報抽出ステップにおいて抽出された該文字属性情報とに基づいて、該媒体画像における該文字認識位置の文字について文字認識を行なう文字認識ステップと、
該画面表示制御情報抽出ステップにおいて抽出された該画面表示制御情報に基づいて、該文字認識ステップにおいて行なった文字認識結果を該表示部に表示する表示制御ステップとをそなえることを特徴とする、媒体処理方法。
【請求項３】
認識対象の文字を記載されるとともに文字認識位置情報と文字属性情報と文字認識位置補正情報と画面表示制御情報とを印刷された媒体から読み取った媒体画像に基づいて、該文字を文字認識し、その文字認識結果を表示部に表示する媒体画像処理装置であって、
該媒体画像に基づいて該文字認識位置情報を抽出する文字認識位置情報抽出部と、
該媒体画像に基づいて該文字属性情報を抽出する文字属性情報抽出部と、
該媒体画像に基づいて該文字認識位置補正情報を抽出する文字認識位置補正情報抽出部と、
該媒体画像に基づいて該画面表示制御情報を抽出する画面表示制御情報抽出部と、
該書式情報抽出部によって抽出された該文字認識位置情報に基づいて、該媒体における該文字の認識位置を仮決定する文字認識位置仮決定部と、
該文字認識位置補正情報抽出部によって抽出された該文字認識位置補正情報に基づいて、該文字認識位置仮決定部によって仮決定された前記文字の認識位置を補正して該文字認識位置を決定する文字認識位置決定部と、
該媒体画像と、該文字位置決定部によって決定された該文字認識位置と、該文字属性情報抽出部によって抽出された該文字属性情報とに基づいて、該媒体画像における該文字認識位置の文字について文字認識を行なう文字認識部と、
該画面表示制御情報抽出部によって抽出された該画面表示制御情報に基づいて、該文字認識部によって行なった文字認識結果を該表示部に表示する表示制御部とをそなえることを特徴とする、媒体画像処理装置。
【請求項４】
認識対象の文字を記載されるとともに文字認識位置情報と文字属性情報と文字認識位置補正情報と画面表示制御情報とを印刷された媒体から読み取った媒体画像に基づいて、該文字を文字認識し、その文字認識結果を表示部に表示する媒体処理機能をコンピュータに実行させるための媒体画像処理プログラムであって、
該媒体画像に基づいて該文字認識位置情報を抽出する文字認識位置情報抽出部と、
該媒体画像に基づいて該文字属性情報を抽出する文字属性情報抽出部と、
該媒体画像に基づいて該文字認識位置補正情報を抽出する文字認識位置補正情報抽出部と、
該媒体画像に基づいて該画面表示制御情報を抽出する画面表示制御情報抽出部と、
該書式情報抽出部によって抽出された該文字認識位置情報に基づいて、該媒体における該文字の認識位置を仮決定する文字認識位置仮決定部と、
該文字認識位置補正情報抽出部によって抽出された該文字認識位置補正情報に基づいて、該文字認識位置仮決定部によって仮決定された前記文字の認識位置を補正して該文字認識位置を決定する文字認識位置決定部と、
該媒体画像と、該文字位置決定部によって決定された該文字認識位置と、該文字属性情報抽出部によって抽出された該文字属性情報とに基づいて、該媒体画像における該文字認識位置の文字について文字認識を行なう文字認識部と、
該画面表示制御情報抽出部によって抽出された該画面表示制御情報に基づいて、該文字認識部によって行なった文字認識結果を該表示部に表示する表示制御部部として、該コンピュータを機能させることを特徴とする、媒体画像処理プログラム。
【請求項５】
文字を記入可能な文字記入領域をそなえる帳票であって、
該文字記入領域の位置を示す文字認識位置情報と、
該文字記入領域に記入される該文字の属性に関する属性情報を示す文字属性情報と、
当該帳票を画像読取装置によって読み取って作成される帳票画像における、該文字記入領域の位置に関する補正情報を示す文字認識位置補正情報と、
該帳票画像に基づいて該文字について文字認識した結果を表示装置に表示させるための画面表示制御情報を示す画面表示制御情報とをそなえることを特徴とする、帳票。
【発明の詳細な説明】
【技術分野】
【０００１】
本発明は、例えば金融機関における帳票処理に関し、ＯＣＲ（Optical Character Recognition）装置等のイメージ読取装置による帳票に記載された文字の認識に用いて好適な、媒体処理装置，媒体処理方法，媒体画像処理装置，媒体画像処理プログラムおよび帳票に関する。
【背景技術】
【０００２】
金融機関等においては、帳票に記載された文字情報をイメージデータとして読み取ってから文字認識する装置として、光学文字読取装置（ＯＣＲ（Optical Character Recognition）装置）等のイメージ読取装置が用いられ、このＯＣＲ装置を用いることにより業務の効率化を図っている。
さて、ＯＣＲ装置においては、例えば下記特許文献１に示すように、予め、読み取りを行なう帳票について、定義体作成ツール等を使用して帳票読取定義体を作成し、文字認識を行なうすべての装置に対して、作成した帳票読取定義体をインストールしている。この帳票読取定義体は、ＯＣＲ装置によって読み取られる帳票のフォーマット等を定義するものであり、例えば、帳票のサイズ，読み取り行数，位置，字種，文字数等の帳票に記載された文字を文字認識するために用いられる情報によって構成される。
【０００３】
また、ＯＣＲ装置においては、帳票の文字認識結果をその表示画面に表示させるために、表示画面上での位置や表示属性を定義する画面表示定義体が予め作成され、ＯＣＲ装置にインストールされている。
さらに、ＯＣＲ装置にそなえられたスキャナによって帳票を読み取って作成された帳票画像においては、伸縮や傾き等が生じることが多い。ＯＣＲ装置においては、このような帳票画像における伸縮や傾きによる影響を無くすための補正処理を実行するための機能を、そのアプリケーションプログラムに実装している。
【０００４】
ＯＣＲ装置においては、予めＯＣＲ装置にインストールされた帳票読取定義体や補正処理機能に従って、帳票の画像を読み取って取得した帳票画像から文字画像を抽出し、この抽出した文字画像に対して文字認識が行なわれるようになっている。このような文字認識の結果は、ＯＣＲ装置のディスプレイに表示され、オペレータはこの表示装置に表示された文字認識結果を確認（検証）する。
【０００５】
また、ＯＣＲ装置においては、このような文字認識結果をディスプレイに表示するために、ディスプレイ上に認識結果の文字を表示させる位置や表示属性等を定義する画面表示定義体が予め作成され、ＯＣＲ装置毎にインストールされている。
さらに、ＯＣＲ装置においては、文字認識結果を用いて金額プルーフチェックを行なったり、複数枚帳票を１ロットとして扱うための制御を行なったりすることもあり、これらの機能を予めＯＣＲ装置のアプリケーションに実装しておき、特定の帳票に対してこれらのデータ処理を実行する場合もある。
【特許文献１】特開平０８−１７１５９６号公報
【発明の開示】
【発明が解決しようとする課題】
【０００６】
しかしながら、従来のＯＣＲ装置においては、認識対象の帳票に対応させて上述の如き各種定義体や補正処理機能を作成・開発するとともに、文字認識を行なうＯＣＲ装置に、これらの各種定義体や補正処理機能をインストールする必要があり、これらの開発やインストール，テスト等の作業が繁雑であるという課題がある。
特に、文字認識を行なう（認識対象の）帳票種類が複数ある場合には、これらの帳票毎に前述した各種定義体や補正処理機能の作成・開発および各ＯＣＲ装置へのインストール（実装）作業を行なう必要があり煩雑であり、ＯＣＲ装置の数や帳票種類が多くなる程、各種定義体等のインストール作業に要する工数が多くなる。又、帳票が変更（改訂）されると、その度に、上述した各種定義体等を変更してＯＣＲ装置に再度インストールする必要がある。
【０００７】
また、このような帳票の改訂がある場合には、帳票の流通にタイミングを合わせてＯＣＲ装置毎に各種定義体等の入替えを行なう必要があったり、又、帳票の切り替え時には一時的に新旧の２種類の帳票が混在したりする等、業務が煩雑になる。
本発明は、このような課題に鑑み創案されたもので、媒体上に記載された文字の文字認識のための定義体やその認識結果の画面表示のための定義体等をインストールする必要がなく、且つ高精度に文字認識を行なうことができる、媒体処理装置，媒体処理方法，媒体画像処理装置，媒体画像処理プログラムおよび帳票を提供することを目的とする。
【課題を解決するための手段】
【０００８】
このため、本発明の媒体処理装置（請求項１）は、媒体上に記載された文字を文字認識し、その文字認識結果を表示部に表示する媒体処理装置であって、認識対象の文字を記載されるとともに文字認識位置情報と文字属性情報と文字認識位置補正情報と画面表示制御情報とを印刷された媒体から媒体画像を読み取る媒体画像読取部と、該媒体画像読取部によって読み取られた該媒体画像に基づいて該文字認識位置情報を抽出する文字認識位置情報抽出部と、該媒体画像読取部によって読み取られた該媒体画像に基づいて該文字属性情報を抽出する文字属性情報抽出部と、該媒体画像読取部によって読み取られた該媒体画像に基づいて該文字認識位置補正情報を抽出する文字認識位置補正情報抽出部と、該媒体画像読取部によって読み取られた該媒体画像に基づいて該画面表示制御情報を抽出する画面表示制御情報抽出部と、該書式情報抽出部によって抽出された該文字認識位置情報に基づいて、該媒体における該文字の認識位置を仮決定する文字認識位置仮決定部と、該文字認識位置補正情報抽出部によって抽出された該文字認識位置補正情報に基づいて、該文字認識位置仮決定部によって仮決定された前記文字の認識位置を補正して該文字認識位置を決定する文字認識位置決定部と、該媒体画像と、該文字位置決定部によって決定された該文字認識位置と、該文字属性情報抽出部によって抽出された該文字属性情報とに基づいて、該媒体画像における該文字認識位置の文字について文字認識を行なう文字認識部と、該画面表示制御情報抽出部によって抽出された該画面表示制御情報に基づいて、該文字認識部によって行なった文字認識結果を該表示部に表示する表示制御部とをそなえることを特徴としている。
【０００９】
また、本発明の媒体処理方法（請求項２）は、媒体上に記載された文字を文字認識し、その文字認識結果を表示部に表示する媒体処理方法であって、認識対象の文字を記載されるとともに文字認識位置情報と文字属性情報と文字認識位置補正情報と画面表示制御情報とを印刷された媒体から媒体画像を読み取る媒体画像読取ステップと、該媒体画像読取ステップにおいて読み取られた該媒体画像に基づいて該文字認識位置情報を抽出する文字認識位置情報抽出ステップと、該媒体画像読取ステップにおいて読み取られた該媒体画像に基づいて該文字属性情報を抽出する文字属性情報抽出ステップと、該媒体画像読取ステップにおいて読み取られた該媒体画像に基づいて該文字認識位置補正情報を抽出する文字認識位置補正情報抽出ステップと、該媒体画像読取ステップにおいて読み取られた該媒体画像に基づいて該画面表示制御情報を抽出する画面表示制御情報抽出ステップと、該書式情報抽出ステップにおいて抽出された該文字認識位置情報に基づいて、該媒体における該文字の認識位置を仮決定する文字認識位置仮決定ステップと、該文字認識位置補正情報抽出ステップにおいて抽出された該文字認識位置補正情報に基づいて、該文字認識位置仮決定ステップにおいて仮決定された前記文字の認識位置を補正して該文字認識位置を決定する文字認識位置決定ステップと、該媒体画像と、該文字位置決定ステップにおいて決定された該文字認識位置と、該文字属性情報抽出ステップにおいて抽出された該文字属性情報とに基づいて、該媒体画像における該文字認識位置の文字について文字認識を行なう文字認識ステップと、該画面表示制御情報抽出ステップにおいて抽出された該画面表示制御情報に基づいて、該文字認識ステップにおいて行なった文字認識結果を該表示部に表示する表示制御ステップとをそなえることを特徴としている。
【００１０】
さらに、本発明の媒体画像処理装置（請求項３）は、認識対象の文字を記載されるとともに文字認識位置情報と文字属性情報と文字認識位置補正情報と画面表示制御情報とを印刷された媒体から読み取った媒体画像に基づいて、該文字を文字認識し、その文字認識結果を表示部に表示する媒体画像処理装置であって、該媒体画像に基づいて該文字認識位置情報を抽出する文字認識位置情報抽出部と、該媒体画像に基づいて該文字属性情報を抽出する文字属性情報抽出部と、該媒体画像に基づいて該文字認識位置補正情報を抽出する文字認識位置補正情報抽出部と、該媒体画像に基づいて該画面表示制御情報を抽出する画面表示制御情報抽出部と、該書式情報抽出部によって抽出された該文字認識位置情報に基づいて、該媒体における該文字の認識位置を仮決定する文字認識位置仮決定部と、該文字認識位置補正情報抽出部によって抽出された該文字認識位置補正情報に基づいて、該文字認識位置仮決定部によって仮決定された前記文字の認識位置を補正して該文字認識位置を決定する文字認識位置決定部と、該媒体画像と、該文字位置決定部によって決定された該文字認識位置と、該文字属性情報抽出部によって抽出された該文字属性情報とに基づいて、該媒体画像における該文字認識位置の文字について文字認識を行なう文字認識部と、該画面表示制御情報抽出部によって抽出された該画面表示制御情報に基づいて、該文字認識部によって行なった文字認識結果を該表示部に表示する表示制御部とをそなえることを特徴としている。
【００１１】
また、本発明の媒体画像処理プログラム（請求項４）は、認識対象の文字を記載されるとともに文字認識位置情報と文字属性情報と文字認識位置補正情報と画面表示制御情報とを印刷された媒体から読み取った媒体画像に基づいて、該文字を文字認識し、その文字認識結果を表示部に表示する媒体処理機能をコンピュータに実行させるための媒体画像処理プログラムであって、該媒体画像に基づいて該文字認識位置情報を抽出する文字認識位置情報抽出部と、該媒体画像に基づいて該文字属性情報を抽出する文字属性情報抽出部と、該媒体画像に基づいて該文字認識位置補正情報を抽出する文字認識位置補正情報抽出部と、該媒体画像に基づいて該画面表示制御情報を抽出する画面表示制御情報抽出部と、該書式情報抽出部によって抽出された該文字認識位置情報に基づいて、該媒体における該文字の認識位置を仮決定する文字認識位置仮決定部と、該文字認識位置補正情報抽出部によって抽出された該文字認識位置補正情報に基づいて、該文字認識位置仮決定部によって仮決定された前記文字の認識位置を補正して該文字認識位置を決定する文字認識位置決定部と、該媒体画像と、該文字位置決定部によって決定された該文字認識位置と、該文字属性情報抽出部によって抽出された該文字属性情報とに基づいて、該媒体画像における該文字認識位置の文字について文字認識を行なう文字認識部と、該画面表示制御情報抽出部によって抽出された該画面表示制御情報に基づいて、該文字認識部によって行なった文字認識結果を該表示部に表示する表示制御部部として、該コンピュータを機能させることを特徴としている。
【００１２】
さらに、本発明の帳票（請求項５）は、文字を記入可能な文字記入領域をそなえる帳票であって、該文字記入領域の位置を示す文字認識位置情報と、該文字記入領域に記入される該文字の属性に関する属性情報を示す文字属性情報と、当該帳票を画像読取装置によって読み取って作成される帳票画像における、該文字記入領域の位置に関する補正情報を示す文字認識位置補正情報と、該帳票画像に基づいて該文字について文字認識した結果を表示装置に表示させるための制御情報を示す画面表示制御情報とをそなえることを特徴としている。
【発明の効果】
【００１３】
本発明の媒体処理装置，媒体処理方法，媒体画像処理装置，媒体画像処理プログラムおよび帳票によれば、以下の効果ないし利点が得られる。
（１）文字認識位置情報や文字属性情報，文字認識位置補正情報，エントリ制御情報を予め媒体処理装置もしくは媒体画像処理装置に設定（インストール）する必要がなく、これにより、媒体処理装置もしくは媒体画像処理装置が複数台ある場合や、帳票（媒体）種類が多数ある場合においても、個々の媒体処理装置もしくは媒体画像処理装置に対する作業を軽減することができ利便性が高い（請求項１〜請求項５）。
【００１４】
（２）帳票（媒体）の書式が変更される場合においても、帳票において文字認識位置情報や、文字属性情報，文字認識位置補正情報，画面表示制御情報，エントリ制御情報等を変更するだけでよく、媒体処理装置もしくは媒体画像処理装置において種々の定義体等のインストール作業を行なう必要がなく利便性が高い（請求項１〜請求項５）。
（３）表示制御部が、帳票上に印刷された画面表示制御情報に基づいて文字認識結果を表示部に表示させるので、媒体処理装置もしくは媒体画像処理装置において文字認識結果を表示部に表示させるための調整等を予め行なう必要がなく利便性が高い（請求項１〜請求項５）。
【００１５】
（４）帳票の作成時に、帳票上における各項目の配置位置の情報に合わせて画面表示制御情報を作成し帳票上に印刷することができるので、人的要因による定義誤差を無くすことができ、より正確な書式情報を作成することもできる。
（５）エントリ制御部が帳票上に印刷されたエントリ制御情報に基づいて、文字認識された文字に対して種々のデータ処理を行なうので、帳票毎にデータ処理を確実に行なうことができ利便性が高い。
【発明を実施するための最良の形態】
【００１６】
以下、図面を参照して本発明の実施の形態を説明する。
図１は本発明の一実施形態としてのＯＣＲ装置の構成を模式的に示す図、図２はそのＯＣＲ装置によって読み取られる帳票の例を示す図である。
本発明の一実施形態としてのＯＣＲ装置（媒体処理装置，媒体画像処理装置）１は、例えば金融機関で用いられる帳票（媒体）を読み取り、その所定の項目に記載された文字を認識するものである。
【００１７】
本ＯＣＲ装置１によって読み取られる帳票２０は、図２に示すように、文字記入部２１と書式情報印刷部２２とをそなえて構成され、文字記入部２１に形成された、帳票ＩＤ記入領域２１ａ，名前記入領域２１ｂ，連絡先記入領域２１ｃおよび帳票通番記入領域２１ｄに任意の文字が記入されるようになっている。なお、以下、これらの帳票ＩＤ記入領域２１ａ，名前記入領域２１ｂ，連絡先記入領域２１ｃおよび帳票通番記入領域２１ｄを文字記入領域もしくは項目という場合もある。
【００１８】
そして、これらの文字記入領域に記載された文字は本ＯＣＲ装置１にそなえられたイメージリーダ７（後述）によって読み取られ、その文字画像に基づいて文字認識が行なわれるようになっている。なお、図２に示す例においては、顧客によって、その名前や連絡先の電話番号を名前記入領域２１ｂや連絡先記入領域２１ｃに記入された帳票２０を示している。
【００１９】
ここで、帳票ＩＤ記入領域２１ａは、帳票の種別を特定するための帳票ＩＤが記入される領域であり、例えば帳票毎に定められた４桁の数字が予め印刷されるようになっている。名前記入領域２１ｂは顧客の名前を記入するための領域であり、連絡先記入領域２１ｃは顧客の連絡先の電話番号を記入するための領域であり、これらの名前や連絡先電話番号は顧客等によって記入されるようになっている。帳票通番記入領域２１ｄは、帳票の通番が記入される領域である。この通番は、その帳票が何枚綴り（帳票群）の何番目のものであるかを示す情報であり、図２に示す例においては、２枚からなる帳票群のうちの１枚目を示している。
【００２０】
また、この帳票２０において、帳票ＩＤ記入領域２１ａ，名前記入領域２１ｂ，連絡先記入領域２１ｃおよび帳票通番記入領域２１ｄの各位置は予め決められており、図２に示す例においては、帳票２０の左上部分を基準とする場合に、帳票ＩＤ記入領域２１ａは、その左上角部が座標（２０，２０）に、又、その右下角部が座標（４０，４０）に位置するように配置されている。同様に、名前記入領域２１ｂは、その左上角部が座標（１００，５０）に、又、その右下角部が座標（５００，１００）に位置するように配置され、連絡先記入領域２１ｃは、その左上角部が座標（１００，１００）に、又、その右下角部が座標（５００，１５０）に位置するように配置され、更に、帳票通番記入領域２１ｄは、その左上角部が座標（４８０，２０）に、又、その右下角部が座標（５２０，４０）に位置するように配置されている。
【００２１】
書式情報印刷部２２には、文字記入部２１における各文字記入領域に記入された文字の文字認識を行なうためにＯＣＲ装置１が用いる種々の書式情報が予め印刷されている。本実施形態においては、これらの書式情報はＪＡＮ形式のバーコードによって印刷されており、図２に示すように、項目数バーコード２２１，項目番号バーコード２２２−１〜２２２−４，帳票ＩＤ左上認識座標バーコード２２３−１，名前左上認識座標バーコード２２３−２，連絡先左上認識座標バーコード２２３−３，帳票左上認識座標バーコード２２３−４，帳票ＩＤ右下認識座標バーコード２２４−１，名前右下認識座標バーコード２２４−２，連絡先右下認識座標バーコード２２４−３，帳票通番右下認識座標バーコード２２４−４，帳票ＩＤカテゴリ／桁数バーコード２２５−１，名前カテゴリ／桁数バーコード２２５−２，連絡先カテゴリ／桁数バーコード２２５−３，帳票通番カテゴリ／桁数バーコード２２５−４，帳票ＩＤ画面表示情報バーコード２２６−１，名前画面表示情報バーコード２２６−２，連絡先画面表示情報バーコード２２６−３，帳票通番画面表示情報バーコード２２６−４，座標補正情報バーコード２２７およびエントリ制御情報バーコード２２８ａ，２２８ｂが印刷されている。
【００２２】
なお、図２に示す例においては、便宜上、各バーコードの上方にそのバーコードによって示される情報を文字で表わしているが、これに限定されるものではなく、帳票２０上においてこれらのバーコードを説明するための文字はなくてもよい。
また、以下、便宜上、帳票ＩＤ左上認識座標バーコード２２３−１，名前左上認識座標バーコード２２３−２，連絡先左上認識座標バーコード２２３−３，帳票左上認識座標バーコード２２３−４をまとめて左上認識座標バーコード２２３と称する場合がある。同様に、以下、帳票ＩＤ右下認識座標バーコード２２４−１，名前右下認識座標バーコード２２４−２，連絡先右下認識座標バーコード２２４−３および帳票通番右下認識座標バーコード２２４−４をまとめて右下認識座標バーコード２２４と、又、帳票ＩＤカテゴリ／桁数バーコード２２５−１，名前カテゴリ／桁数バーコード２２５−２，連絡先カテゴリ／桁数バーコード２２５−３および帳票通番カテゴリ／桁数バーコード２２５−４をまとめてカテゴリ／桁数バーコード２２５と、更に、帳票ＩＤ画面表示情報バーコード２２６−１，名前画面表示情報バーコード２２６−２，連絡先画面表示情報バーコード２２６−３および帳票通番画面表示情報バーコード２２６−４をまとめて画面表示情報バーコード２２６と、又、エントリ制御情報バーコード２２８ａおよびエントリ制御情報バーコード２２８ｂをまとめてエントリ制御情報バーコード２２８と称する場合がある。
【００２３】
図３（ａ），（ｂ），図４（ａ），（ｂ），図５（ａ），（ｂ），図６（ａ），（ｂ），図７（ａ），（ｂ），図８（ａ），（ｂ），図９（ａ），（ｂ），図１０（ａ），（ｂ）および図１１（ａ），（ｂ）はそれぞれ本発明の一実施形態としてのＯＣＲ装置１によって読み取られる帳票２０に印刷されるバーコードの例を説明するための図である。
帳票２０の書式情報印刷部２２に印刷される各バーコードにおいては、それらの先頭桁によって当該バーコードの種類を示すようになっており、本実施形態においては、バーコードの先頭桁が“１”の場合には「項目数」を、“２”の場合には「項目番号」を、“３”の場合には「文字認識項目の左上角座標」を、“４”の場合には「文字認識項目の右下角座標」を、“５”の場合には「文字認識項目の認識カテゴリおよび認識桁数」を、“６”の場合には「画面表示位置」を、“８”の場合には「座標補正の処理方法」を、“９”の場合には「画面エントリの制御方法」を、それぞれ示すようになっている。
【００２４】
項目数バーコード２２１は、文字記入部２１において文字認識を行なう箇所（項目）の数（項目数）を示すものであり、図３（ａ），（ｂ）に示すように、項目数バーコードであることを示す情報（（１）部参照），リザーブ（（２）部参照），項目数を示す情報（（３）部参照）およびチェックデジット（（４）部参照）をそなえて構成されている。なお、図３（ａ）に示す例においては、（３）部において“0004”を設定することにより項目数が４であることを示している。
【００２５】
項目番号バーコード２２１−１〜２２２−４は、文字記入部２１に形成された文字記入領域（項目）を特定するものであり、図４（ａ），（ｂ）に示すように、項目番号バーコードであることを示す情報（（１）部参照），項目番号を示す情報（（２）部参照），リザーブ（（３）部参照）およびチェックデジット（（４）部参照）をそなえて構成されている。
【００２６】
本実施形態においては、予め、帳票ＩＤ記入領域２１ａに項目番号１が、名前記入領域２１ｂに項目番号２が、連絡先記入領域２１ｃに項目番号３が、帳票通番記入領域２１ｄに項目番号４がそれぞれ設定されており、（２）部においてこれらの項目番号を設定することにより任意の項目を特定することができる。
左上認識座標バーコード２２３（２２３−１〜２２３−４）は、文字記入部２１における各文字記入領域の左上角部の座標を示すことによりその位置を特定するものであり、図５（ａ），（ｂ）に示すように、項目の左上座標バーコード（左上角座標バーコード）であることを示す情報（（１）部参照），項目番号を示す情報（（２）部参照），Ｘ座標を示す情報（（３）部参照），Ｙ座標を示す情報（（４）部参照）およびチェックデジット（（５）部参照）をそなえて構成されている。なお、図５（ａ）に示す例においては、項目番号１である帳票ＩＤ記入領域２１ａの左上角の座標が、（２０，２０）であることを示している。
【００２７】
右下認識座標バーコード２２４（２２４−１〜２２４−４）は、文字記入部２１における各文字記入領域の右下角部の座標を示すことによりその位置を特定するものであり、図６（ａ），（ｂ）に示すように、項目の右下座標バーコード（右下角座標バーコード）であることを示す情報（（１）部参照），項目番号を示す情報（（２）部参照），Ｘ座標を示す情報（（３）部参照），Ｙ座標を示す情報（（４）部参照）およびチェックデジット（（５）部参照）をそなえて構成されている。なお、図６（ａ）に示す例においては、項目番号１である帳票ＩＤ記入領域２１ａの右下角の座標が、（４０，４０）であることを示している。
【００２８】
そして、上述した左上認識座標バーコード２２３（２２３−１〜２２３−４）および右下認識座標バーコード２２４（２２４−１〜２２４−４）が、それぞれ文字記入領域の位置を示す文字認識位置情報として機能するようになっている。
カテゴリ／桁数バーコード２２５（２２５−１〜２２５−４）は、文字記入部２１における各文字記入領域に記入される文字に記入される文字の属性に関する文字属性情報を示すものであり、図７（ａ），（ｂ）に示すように、項目の認識カテゴリ／桁数バーコードであることを示す情報（（１）部参照），項目番号を示す情報（（２）部参照），認識カテゴリ／桁数を示す情報（（３）部参照），認識桁数を示す情報（（４）部参照）およびチェックデジット（（５）部参照）をそなえて構成されている。
【００２９】
ここで、認識カテゴリとは、文字種類（カテゴリ）を示すものであり、例えば、図７（ｂ）に示すように、（３）部分を構成する複数桁（本実施形態では５桁）にそれぞれ漢字，カナ，記号，英字，数字を予め対応付けておき、各桁において“１”が設定されている文字種類を有効とする。図７（ａ）に示す例においては、項目番号１である帳票ＩＤ記入領域２１ａには、４桁の「数字」が記入されることを示している。
【００３０】
画面表示情報バーコード２２６（２２６−１〜２２６−４）は、その帳票２０をイメージリーダ７（後述）によって読み取って作成される帳票画像に基づいて文字認識を行なった結果をディスプレイ１５（後述）に表示させるための制御情報である画面表示制御情報を示すものであり、図８（ａ），（ｂ）に示すように、項目の画面表示情報バーコードであることを示す情報（（１）部参照），項目番号を示す情報（（２）部参照），画面表示情報を示す情報（（３）部参照）およびチェックデジット（（４）部参照）をそなえて構成されている。
【００３１】
ここで、画面表示情報とは、その項目にかかる文字認識結果をディスプレイ１５にどのように表示するかを示すものであり、例えば、「帳票上の座標で画面に表示させる」等を指定することができる。図８（ａ）に示す例においては、項目番号１である帳票ＩＤ記入領域２１ａの文字認識結果をディスプレイ１５上に帳票上の座標で表示させることを示している。
【００３２】
座標補正情報バーコード（文字認識位置補正情報）２２７は、その帳票をイメージリーダ７によって読み取って作成される帳票画像における、文字記入領域の位置に関する補正情報であり、図９（ａ），（ｂ）に示すように、項目の座標補正情報バーコード（座標補正処理情報バーコード）であることを示す情報（（１）部参照），項目番号を示す情報（（２）部参照），原点位置を示す情報（（３）部参照），斜行補正の有無を示す情報（（４）部参照），伸縮補正の有無を示す情報（（５）部参照），リザーブ（（６）部参照）およびチェックデジット（（７）部参照）をそなえて構成されている。
【００３３】
ここで、原点位置は補正の際の基準となる原点の位置を示すものであり、例えば、特定の項目番号を設定することにより、その項目の位置（左上座標や右下座標等）を原点として指定するようになっている。図９（ａ）に示す例においては、帳票ＩＤ記入領域２１ａの座標を原点としており、各項目についての認識項目位置（座標）を帳票ＩＤ記入領域２１ａの座標からの相対座標で表わすようになっている。又、斜行補正の有無や伸縮補正について、例えば“１”を設定することにより、これらの補正を行なうことを示す。
【００３４】
エントリ制御情報バーコード２２８ａ，２２８ｂは、それぞれ文字認識した結果に対するデータ処理に関する情報であって、図１０（ａ），（ｂ），図１１（ａ），（ｂ）に示すように、エントリ制御情報バーコードであることを示す情報（（１）部参照），処理種別を示す情報（（２）部参照），項目番号を示す情報（（３）部参照），処理詳細を示す情報（（４）部参照），リザーブ（（５）部参照）およびチェックデジット（（６）部参照）をそなえて構成されている。
【００３５】
例えば、図１０（ａ），（ｂ）に示すエントリ制御情報バーコード２２８ａは、複数枚の帳票からなる連続帳票についての処理方法を指定するものであり、この図１０（ａ）に示す例においては、ＯＣＲ装置１はこの帳票２０について、複数枚処理（処理種別“１”）を行ない、帳票通番記入領域２１ｄに記載された帳票通番に基づいて、通番で括られた帳票群を連続処理する（処理詳細“１”）ことを示す。
【００３６】
また、図１１（ａ），（ｂ）に示すエントリ制御情報バーコード２２８ｂは、この帳票２０にかかる文字認識結果についての確認処理（プルーフチェック）の方法を指定するものであり、この図１１（ａ）に示す例においては、ＯＣＲ装置１による文字認識の結果をパート社員が入力して社員がその確認を行なうフローを定義している。具体的には、処理種別“９”によってワークフローが選択されることを示すとともに、項目番号“１”により「入力」が、又、処理詳細“５”により「確認」がそれぞれ選択されることを示す。
【００３７】
本ＯＣＲ装置（媒体処理装置，画像処理装置）１は、図１に示すように、イメージリーダ７，メモリ３１，ハードディスク３２，ディスプレイ１５，キーボート３４，マウス３５およびＣＰＵ（Central Processing Unit）３０をそなえたコンピュータシステム（情報処理装置）として構成され、ＣＰＵ３０が、メモリ３１やハードディスク３２に保存されたプログラム（媒体処理プログラム，媒体画像処理プログラム）を実行することにより機能するようになっている。
【００３８】
イメージリーダ（媒体画像読取部）７は帳票２０の画像を帳票画像（媒体画像）として読み取るものであり、イメージ読取処理部３はこのイメージリーダ７の制御を行なうものであって、例えば、帳票画像の読み取りの実行指示等を行なうものである。
ハードディスク３２は、イメージリーダ７によって読み取られた帳票２０のイメージデータを保存したり、前述したプログラムを保存したりするものである。このハードディスク３２には、書式情報抽出処理部８（後述）によって抽出された文字認識位置情報や文字属性情報を格納するための書式情報格納領域３２１や、文字認識処理部１３（後述）によって文字認識された結果を格納するための認識結果格納領域３２２が形成されている。
【００３９】
また、このハードディスク３２には、後述するエントリ制御処理部１６によって実行されるアプリケーションプログラムであって、本ＯＣＲ装置１で実行され得る複数のデータ処理のためのアプリケーションプログラムを、帳票２０の種類（例えば帳票ＩＤ）等に対応させてライブラリやデータベース等の形式で予め保存されている。
メモリ３１は、ＣＰＵ３０が種々の処理を行なう際に、データを展開したり一時的に格納したりするものであり、又、このメモリ３１に前述したプログラムを保存してもよい。更に、このメモリ３１には、書式情報抽出処理部８によって抽出された文字認識位置情報や文字属性情報を格納するための書式情報格納領域３１１や、文字認識処理部１３によって文字認識された結果を格納するための認識結果格納領域３１２が形成されている。
【００４０】
ディスプレイ（表示部）１５は、帳票の画像や文字認識の結果，オペレータが用いる操作画面等を表示するものであり、キーボード３４やマウス３５はオペレータが種々の操作・入力を行なうものである。
ＣＰＵ３０は種々の演算処理を行なうものであり、図１に示すように、制御部２，イメージ読取処理部３，情報抽出処理部４，文字認識制御部５，画面制御部６，書式情報抽出処理部（文字認識位置情報抽出部，文字属性情報抽出部）８，文字認識位置補正情報抽出処理部（文字認識位置補正情報抽出部）９，エントリ制御情報抽出処理部（エントリ制御情報抽出部）１０，文字認識位置仮決定処理部（文字認識位置仮決定部）１１，文字認識位置決定処理部（文字認識位置決定部）１２，文字認識処理部（文字認識部）１３，画面表示処理部（表示制御部）１４，エントリ制御処理部１６および画面表示制御情報抽出処理部（画面表示制御情報抽出）１７として機能するようになっている。
【００４１】
制御部２は上述した、イメージ読取処理部３，情報抽出処理部４，文字認識制御部５，画面制御部６およびエントリ制御処理部１６を制御することにより、全体の処理を管理するものである。
情報抽出処理部４は、書式情報抽出処理部８，文字認識位置補正情報抽出処理部９，エントリ制御情報抽出処理部１０および画面表示制御情報抽出処理部１７を制御して、イメージリーダ７によって読み取られた帳票画像から、帳票の書式情報印刷部２２に印刷された書式情報を取得・抽出するものである。
【００４２】
書式情報抽出処理部（文字認識位置情報抽出部，文字属性情報抽出部）８は、イメージリーダ７によって読み取られた帳票画像における、書式情報印刷部２２に印刷された左上認識座標バーコード２２３および右下認識座標バーコード２２４から文字記入部２１における各文字記入領域の座標（文字認識位置情報）を抽出・取得するとともに、カテゴリ／桁数バーコード２２５から各文字記入領域に記入される文字に記入される文字の属性に関する属性情報（文字種類，桁数）を抽出・取得するものである。
【００４３】
すなわち、書式情報抽出処理部８は、イメージリーダ７によって読み取られた帳票画像に基づいて文字認識位置情報や文字属性情報を抽出するようになっている。なお、この書式情報抽出処理部８によって抽出された文字認識位置情報や文字属性情報は、ハードディスク３２に形成された書式情報格納領域３２１や、メモリ３１に形成された書式情報格納領域３１１に格納されるようになっている。
【００４４】
文字認識位置補正情報抽出処理部（文字認識位置補正情報抽出部）９は、イメージリーダ７によって読み取られた帳票画像における、書式情報印刷部２２に印刷された座標補正情報バーコード２２７から、文字記入領域の位置に関する補正情報（原点，斜行補正の有無，伸縮補正の有無等）を抽出・取得するものである。すなわち、この文字認識位置補正情報抽出処理部９は、イメージリーダ７によって読み取られた帳票画像に基づいて文字認識位置補正情報を抽出するようになっている。
【００４５】
画面表示制御情報抽出処理部（画面表示制御情報抽出部）１７は、イメージリーダ７によって読み取られた帳票画像における、書式情報印刷部２２に印刷された画面表示情報バーコード２２６から、文字認識結果をディスプレイ１５にどのように表示するかを示す画面表示制御情報を抽出・取得するものである。すなわち、画面表示制御情報抽出処理部１７は、イメージリーダ７によって読み取られた帳票画像に基づいて画面表示制御情報を抽出するようになっている。
【００４６】
エントリ制御情報抽出処理部（エントリ制御情報抽出部）１０は、イメージリーダ７によって読み取られた帳票画像における、書式情報印刷部２２に印刷されたエントリ制御情報バーコード２２８ａ，２２８ｂから、文字認識制御部５（後述）による文字認識結果に対するデータ処理に関する情報（連続帳票についての処理方法やプルーフチェック方法等；以下、エントリ制御情報という場合がある）を抽出・取得するものである。すなわち、エントリ制御情報抽出処理部１０は、イメージリーダ７によって読み取られた帳票画像に基づいてエントリ制御情報を抽出するようになっている。
【００４７】
文字認識制御部５は、文字認識位置仮決定処理部１１，文字認識位置決定処理部１２および文字認識処理部１３を制御して、情報抽出処理部４によって取得された書式情報に基づいて、イメージリーダ７によって読み取られた帳票画像から、文字記入部２１に記入された文字についての文字認識を行なうものである。
文字認識位置仮決定処理部（文字認識位置仮決定部）１１は、書式情報抽出処理部８によって抽出された、文字記入部２１における各文字記入領域の座標（文字認識位置情報）に基づいて、文字認識を行なう項目の位置を仮決定するものである。
【００４８】
文字認識位置決定処理部（文字認識位置決定部）１２は、文字認識位置補正情報抽出部９によって抽出された補正情報（文字認識位置補正情報）に基づいて、文字認識位置仮決定処理部１１によって仮決定された文字の認識位置に対して、斜行補正や伸縮補正を行なって文字認識位置を決定するものである。
文字認識処理部（文字認識部）１３は、文字認識位置決定処理部１２によって決定された文字認識位置と、書式情報抽出処理部８によって抽出された文字認識位置情報（座標）や文字属性情報（文字種類，桁数）に基づいて、帳票画像における文字認識位置の文字について文字認識を行なうものである。なお、この文字認識処理部１３による文字認識は、公知の種々の手法を用いて実現することができる。
【００４９】
また、文字認識処理部１３によって文字認識された結果は、ハードディスク３２やメモリ３１等に形成された認識結果格納領域３２２，３１２に、項目番号に対応させて格納されるようになっている。
エントリ制御処理部１６は、エントリ制御情報抽出処理部１０によって取得されたエントリ制御情報に基づいて、文字認識処理部１３によって文字認識された文字に対して種々のデータ処理を行なうものであり、例えば、複数枚処理を行なう場合には、通番で括られた帳票群に対して連続処理を行なうように制御したり、データチェック処理を行なったり、所定のワークフローに従った処理を行なう。
【００５０】
これらのエントリ制御処理部１６による処理は、これらの処理を実現するためのプログラムを予めハードディスク３２等に格納しておき、エントリ制御情報バーコード２２８ａ，２２８ｂの内容に応じて、ＣＰＵ３０がこれらのプログラムを選択的に実行することにより実現することができる。
本ＯＣＲ装置１においては、ハードディスク３２に、本ＯＣＲ装置１で実行され得る複数のデータ処理のためのアプリケーションプログラムが、ライブラリやデータベース等の形式で予め保存されており、エントリ制御処理部１６は、これらの複数のアプリケーションプログラムの中から、特定のアプリケーションプログラムを選択して実行するようになっている。
【００５１】
例えば、エントリ制御処理部１６は、文字認識処理部１３による文字認識結果に基づいて、帳票ＩＤを取得し、この帳票ＩＤに対応して実行すべきアプリケーションプログラムをハードディスク３２（ライブラリ，データベース）から取得して実行する。
画面制御部６は、画面表示処理部（表示制御部）１４を制御することによりディスプレイ１５に各種画面を表示させるものであって、画面表示処理部１４は、ディスプレイ１５の表示制御を行なうものである。又、画面表示処理部１４は、画面表示制御情報抽出処理部１７によって抽出された画面表示情報（画面表示制御情報）に基づいて、文字認識処理部１３によって行なった文字認識結果をディスプレイ１５に表示するようになっており、例えば、画面情報情報によって指定された位置に認識された文字を表示させる。
【００５２】
図１２は本発明の一実施形態としてのＯＣＲ装置１のディスプレイ１５に表示された文字認識結果の例を示す図であり、文字認識結果が正読の場合における表示例を示すものである。この図１２に示すように、画面表示処理部１４は、文字認識処理部１３による文字認識結果をイメージリーダ７によって読み取られた帳票画像とともにディスプレイ１５に表示させるようになっており、この図１２に示す例においては、項目毎の文字認識結果を項目番号に対応させて帳票画像の下側に表示させている。
【００５３】
また、画面表示処理部１４は、文字認識処理部１３による文字認識の結果において認識不能文字がある場合には、その認識不能であった文字を、クエスチョンマーク（？）等の認識不能である旨を示す特定の文字（以下、認識不能文字という）で置換してディスプレイ１５に表示させるようになっている。
図１３は本発明の一実施形態としてのＯＣＲ装置１のディスプレイ１５に表示された文字認識結果の例を示す図であり、文字認識結果において認識不能であった文字がある場合における表示例を示すものである。この図１３に示す例においては、項目番号２の名前記入領域２１ｂに記入された名前を構成する文字のうち「タ」が認識不能であり、認識不能文字としてクエスチョンマークを用いて表わしている。
【００５４】
上述の如く構成された本発明の一実施形態としてのＯＣＲ装置１における帳票２０の読み取りおよびその文字認識にかかる処理を、図１４に示すフローチャート（ステップＡ１０〜Ａ１００）に従って説明する。
先ず、イメージリーダ７により帳票画像を読み取り（ステップＡ１０）、その帳票画像に基づいて、書式情報抽出処理部８が、書式情報印刷部２２に印刷された左上認識座標バーコード２２３および右下認識座標バーコード２２４から文字認識位置情報を抽出・取得するとともに、カテゴリ／桁数バーコード２２５から属性情報（文字種類，桁数）を抽出・取得する。又、文字認識位置補正情報抽出処理部９が、書式情報印刷部２２に印刷された座標補正情報バーコード２２７から、文字記入領域の位置に関する補正情報（原点，斜行補正の有無，伸縮補正の有無等）を抽出・取得する。更に、画面表示制御情報抽出処理部１７が、書式情報印刷部２２に印刷された画面表示情報バーコード２２６から画面表示制御情報を抽出・取得する。又、エントリ制御情報抽出処理部１０が、書式情報印刷部２２に印刷されたエントリ制御情報バーコード２２８ａ，２２８ｂからエントリ制御情報を抽出・取得する（ステップＡ２０）。又、ここで文字認識済項目数カウンタに０を設定して初期化を行なう。
【００５５】
帳票２０の文字記入部２１における全ての項目について文字認識位置情報や属性情報，補正情報およびエントリ制御情報の抽出を行なったか、すなわち、文字認識済み項目数カウンタの値が項目数バーコード２２１に設定された項目数と一致するか否かを判断して（ステップＡ３０）、全項目について処理が完了していない場合、すなわち、文字認識済み項目数カウンタの値が項目数バーコード２２１に設定された項目数よりも小さい場合には（ステップＡ３０のＮＯルート参照）、文字認識位置仮決定処理部１１が、書式情報抽出処理部８によって抽出された文字認識位置情報に基づいて、文字認識を行なう項目の座標を仮決定する（ステップＡ４０）。なお、本実施形態においては、各項目の座標を帳票ＩＤ記入領域２１ａの座標からの相対座標で仮決定するようになっている。
【００５６】
そして、文字認識位置決定処理部１２が、文字認識位置補正情報抽出部９によって抽出された補正情報に基づいて、ステップＡ４０において文字認識位置仮決定処理部１１によって仮決定された文字の認識位置に対して、斜行補正や伸縮補正を行なって文字認識位置を決定する（ステップＡ５０）。文字認識処理部１３は、この文字認識位置決定処理部１２によって決定された文字認識位置に基づいて、帳票画像から文字認識位置の画像を切り出し、書式情報抽出処理部８によって抽出された文字属性情報（文字種類，桁数）に従ってかかる画像（文字画像）に対して文字認識を行なう（ステップＡ６０）。
【００５７】
文字認識処理部１３によって文字認識された結果が、ハードディスク３２やメモリ３１等に形成された認識結果格納領域３２２，３１２に、項目番号に対応させて格納された後（ステップＡ７０）、文字認識済項目数カウンタの値をインクリメントして（ステップＡ８０）、ステップＡ３０に戻る。
一方、全項目について処理が完了した場合、すなわち、文字認識済み項目数カウンタの値が項目数バーコード２２１に設定された項目数に一致した場合には（ステップＡ３０のＹＥＳルート参照）、画面表示処理部１４が、画面表示制御情報抽出処理部１７によって抽出された画面表示情報に基づいて、認識結果格納領域３１１，３２１に格納された文字認識結果を、項目番号に対応させて帳票画像とともにディスプレイ１５に表示させる。
【００５８】
また、エントリ制御処理部１６が、エントリ制御情報抽出処理部１０によって取得されたエントリ制御情報に基づいて、文字認識処理部１３によって文字認識された文字に対して種々のデータ処理を行なう。例えば、エントリ制御処理部１６は、エントリ制御情報に従って、認識結果を帳票通番順にディスプレイ１５に表示させる（ステップＡ９０）。又、この際、画面表示処理部１４は、帳票通番の認識結果を用いて、検証中の帳票が何枚分の何枚目のものであるかをディスプレイ１５上にメッセージとして表示することによりオペレータに注意を促す等の処理も行なう。更に、エントリ制御情報に基づいて、所定のワークフローに従ってデータチェック処理を行ない確認待ちの状態に移行して処理を終了する（ステップＡ１００）。
【００５９】
このように、本発明の一実施形態としてのＯＣＲ装置１によれば、帳票２０に、各文字記入領域に記入された文字の文字認識を行なうための書式情報がバーコードとして印刷されており、これらの書式情報から、書式情報抽出処理部８が文字認識位置情報や属性情報を抽出・取得し、文字認識位置補正情報抽出処理部９が、文字記入領域の位置に関する補正情報を抽出・取得し、画面表示制御情報抽出処理部１７が、画面表示制御情報を抽出・取得し、エントリ制御情報抽出処理部１０がエントリ制御情報を抽出・取得するとともに、文字認識位置仮決定処理部１１が文字認識位置情報に基づいて文字認識を行なう項目の座標を仮決定し、文字認識位置決定処理部１２が補正情報に基づいて文字認識位置を決定し、画面表示処理部１４が画面表示情報に基づいて文字認識結果をディスプレイ１５に表示させ、更に、エントリ制御処理部１６がエントリ制御情報に基づいて、文字認識された文字に対して種々のデータ処理を行なうので、文字認識位置情報や文字属性情報，補正情報，エントリ制御情報を予めＯＣＲ装置１に設定（インストール）する必要がない。これにより、ＯＣＲ装置１が複数台ある場合や、帳票種類が多数ある場合においても、個々のＯＣＲ装置１に対する作業が増えることがなく利便性が高い。
【００６０】
また、帳票２０の書式が変更される場合においても、帳票２０において書式情報を変更するだけでよく、ＯＣＲ装置１側において種々の定義体等のインストール作業を行なう必要がない。
さらに、画面表示処理部１４が帳票２０上に印刷された画面表示情報に基づいて文字認識結果をディスプレイ１５に表示させるので、ＯＣＲ装置１において文字認識結果をディスプレイ１５に表示させるための調整等を予め行なう必要がなく利便性が高い。又、帳票２０の作成時に、帳票２０上における各項目の配置位置の情報に合わせて書式情報を作成し帳票２０上に印刷することができるので、人的要因による定義誤差を無くすことができ、より正確な書式情報を作成することもできる。
【００６１】
また、エントリ制御処理部１６が帳票２０上に印刷されたエントリ制御情報に基づいて、文字認識された文字に対して種々のデータ処理を行なうので、帳票毎にデータ処理を確実に行なうことができ利便性が高い。又、ＯＣＲ装置１において、帳票２０に対応して行なうデータ処理について、当該ＯＣＲ装置１で実行され得る複数のデータ処理のためのアプリケーションプログラムをライブラリやデータベース等の形式で予め複数用意しておき、エントリ制御処理部１６が、帳票種類に応じてこれらの複数のアプリケーションプログラムの中から特定のアプリケーションプログラムを選択して実行することにより、ＯＣＲ装置１において複数種類の帳票２０について文字認識を行なう場合においても、必要な処理を自動的に選択して実施することができ、利便性が高い。
【００６２】
なお、一般に帳票を作成・印刷する際には、その帳票上における文字記入領域（項目）の位置（座標値）を容易に取得することができる。従って、本ＯＣＲ装置１において用いられる帳票の設計に際して、これらの文字記入領域の座標値を用いることにより、書式情報（左上認識座標バーコード２２３，左上認識座標バーコード２２４）を容易に作成することができるのである。
【００６３】
そして、本ＯＣＲ装置１においては、情報処理装置のＣＰＵ（Central Processing Unit）が、媒体画像処理プログラムを実行することにより、上述した制御部２，イメージ読取処理部３，情報抽出処理部４，文字認識制御部５，画面制御部６，書式情報抽出処理部８，文字認識位置補正情報抽出処理部９，エントリ制御情報抽出処理部１０，文字認識位置仮決定処理部１１，文字認識位置決定処理部１２，文字認識処理部１３，画面表示処理部１４，エントリ制御処理部１６および画面表示制御情報抽出処理部１７として機能するようになっている。
【００６４】
なお、これらの制御部２，イメージ読取処理部３，情報抽出処理部４，文字認識制御部５，画面制御部６，書式情報抽出処理部８，文字認識位置補正情報抽出処理部９，エントリ制御情報抽出処理部１０，文字認識位置仮決定処理部１１，文字認識位置決定処理部１２，文字認識処理部１３，画面表示処理部１４，エントリ制御処理部１６および画面表示制御情報抽出処理部１７としての機能を実現するためのプログラム（媒体画像処理プログラム）は、例えばフレキシブルディスク，ＣＤ−ＲＯＭ，ＣＤ−Ｒ，ＣＤ−Ｒ／Ｗ，ＤＶＤ，ＤＶＤ−Ｒ，ＤＶＤ−Ｒ／Ｗ，磁気ディスク，光ディスク，光磁気ディスク等の、コンピュータ読取可能な記録媒体に記録された形態で提供される。そして、コンピュータはその記録媒体からプログラムを読み取って内部記憶装置または外部記憶装置に転送し格納して用いる。又、そのプログラムを、例えば磁気ディスク，光ディスク，光磁気ディスク等の記憶装置（記録媒体）に記録しておき、その記憶装置から通信経路を介してコンピュータに提供するようにしてもよい。
【００６５】
制御部２，イメージ読取処理部３，情報抽出処理部４，文字認識制御部５，画面制御部６，書式情報抽出処理部８，文字認識位置補正情報抽出処理部９，エントリ制御情報抽出処理部１０，文字認識位置仮決定処理部１１，文字認識位置決定処理部１２，文字認識処理部１３，画面表示処理部１４，エントリ制御処理部１６および画面表示制御情報抽出処理部１７としての機能を実現する際には、内部記憶装置（本実施形態ではメモリ３１やハードディスク３２）に格納されたプログラムがコンピュータのマイクロプロセッサ（本実施形態ではＣＰＵ３０）によって実行される。このとき、記録媒体に記録されたプログラムをコンピュータが読み取って実行するようにしてもよい。
【００６６】
なお、本実施形態において、コンピュータとは、ハードウェアとオペレーティングシステムとを含む概念であり、オペレーティングシステムの制御の下で動作するハードウェアを意味している。又、オペレーティングシステムが不要でアプリケーションプログラム単独でハードウェアを動作させるような場合には、そのハードウェア自体がコンピュータに相当する。ハードウェアは、少なくとも、ＣＰＵ等のマイクロプロセッサと、記録媒体に記録されたコンピュータプログラムを読み取るための手段とをそなえており、本実施形態においては、ＯＣＲ装置１がコンピュータとしての機能を有しているのである。
【００６７】
さらに、本実施形態における記録媒体としては、上述したフレキシブルディスク，ＣＤ−ＲＯＭ，ＣＤ−Ｒ，ＣＤ−Ｒ／Ｗ，ＤＶＤ，ＤＶＤ−Ｒ，ＤＶＤ−Ｒ／Ｗ，磁気ディスク，光ディスク，光磁気ディスクのほか、ＩＣカード，ＲＯＭカートリッジ，磁気テープ，パンチカード，コンピュータの内部記憶装置（ＲＡＭやＲＯＭなどのメモリ），外部記憶装置等や、バーコードなどの符号が印刷された印刷物等のコンピュータ読取可能な種々の媒体を利用することができる。
【００６８】
そして、本発明は上述した実施形態に限定されるものではなく、本発明の趣旨を逸脱しない範囲で種々変形して実施することができる。
例えば、上記実施形態では、帳票２０の書式情報印刷部２２にＪＡＮ形式のバーコードによって書式情報が印刷されているが、それに限定されるものではなく、ＥＡＮ形式やＵＰＣ形式，ＩＴＦコード形式、２次元バーコード等の他形式のバーコードを用いてもよく、更に、ＯＣＲ−Ｂフォント等の数字や他の文字種の文字列によって印刷してもよい。
【００６９】
また、帳票２０において、帳票種類を示す情報として帳票ＩＤを用いているが、これに限定されるものではなく、帳票の種類を特定する文字列やマーク等を用いてもよい。
さらに、帳票２０において、書式情報が目立たないように、この書式情報を地模様の一部として印刷してもよい。
また、エントリ制御処理部１６によるデータ処理は、上述の如き、通番で括られた帳票群に対して連続処理を行なう制御や、データチェック処理，所定のワークフローに従った処理に限定されるものではなく、これら以外の処理を行なってもよい。
【００７０】
さらに、図２に示す帳票２０の例においては、帳票２０の上の方に文字記入領域２１が形成されるとともに、その下側に書式情報記入領域２２が形成されているが、これに限定されるものではなく、例えば、文字記入領域２１を構成する各領域（帳票ＩＤ記入領域２１ａ，名前記入領域２１ｂ，連絡先記入領域２１ｃおよび帳票通番記入領域２１ｄ）のそれぞれに隣接するように書式情報の各バーコード２２２〜２２６をそれぞれ配置してもよい。
【００７１】
また、図２に示す帳票２０の例においては、項目番号バーコード２２２に対して、対応する左上認識座標バーコード２２３，右下認識座標バーコード２２４，カテゴリ／桁数２２５および画面表示情報バーコード２２６をそれぞれ同じ列に並べて配置しているが、これに限定されるものではなく、これらの項目番号バーコード２２２，左上認識座標バーコード２２３，右下認識座標バーコード２２４，カテゴリ／桁数２２５および画面表示情報バーコード２２６を帳票２０上の任意の位置に配置してもよい。
【００７２】
さらに、上述した実施形態においては、図１３に示す例において、認識不能文字としてクエスチョンマークを用いているが、これに限定されるものではなく、例えば「○」や「×」等の他の文字や記号を用いてもよい。
なお、本発明の各実施形態が開示されていれば、本発明の媒体処理装置，媒体処理方法，媒体画像処理装置，媒体画像処理プログラムおよび帳票を当業者によって実施・製造することが可能である。
【００７３】
そして、本発明は、以下に示すように要約することができる。
（付記１）  媒体上に記載された文字を文字認識し、その文字認識結果を表示部に表示する媒体処理装置であって、
認識対象の文字を記載されるとともに文字認識位置情報と文字属性情報と文字認識位置補正情報と画面表示制御情報とを印刷された媒体から媒体画像を読み取る媒体画像読取部と、
該媒体画像読取部によって読み取られた該媒体画像に基づいて該文字認識位置情報を抽出する文字認識位置情報抽出部と、
該媒体画像読取部によって読み取られた該媒体画像に基づいて該文字属性情報を抽出する文字属性情報抽出部と、
該媒体画像読取部によって読み取られた該媒体画像に基づいて該文字認識位置補正情報を抽出する文字認識位置補正情報抽出部と、
該媒体画像読取部によって読み取られた該媒体画像に基づいて該画面表示制御情報を抽出する画面表示制御情報抽出部と、
該書式情報抽出部によって抽出された該文字認識位置情報に基づいて、該媒体における該文字の認識位置を仮決定する文字認識位置仮決定部と、
該文字認識位置補正情報抽出部によって抽出された該文字認識位置補正情報に基づいて、該文字認識位置仮決定部によって仮決定された前記文字の認識位置を補正して該文字認識位置を決定する文字認識位置決定部と、
該媒体画像と、該文字位置決定部によって決定された該文字認識位置と、該文字属性情報抽出部によって抽出された該文字属性情報とに基づいて、該媒体画像における該文字認識位置の文字について文字認識を行なう文字認識部と、
該画面表示制御情報抽出部によって抽出された該画面表示制御情報に基づいて、該文字認識部によって行なった文字認識結果を該表示部に表示する表示制御部とをそなえることを特徴とする、媒体処理装置。
【００７４】
（付記２）  該媒体がエントリ制御情報を印刷されるものであって、
該媒体画像読取部によって読み取られた該媒体画像に基づいて該エントリ制御情報を抽出するエントリ制御情報抽出部をそなえるとともに、
該エントリ制御情報抽出部によって抽出された該エントリ制御情報に基づいて、該文字認識部によって文字認識された該文字を用いてデータ処理を行なうエントリ制御部をそなえることを特徴とする、付記１記載の媒体処理装置。
【００７５】
（付記３）  該表示制御部が、該文字認識部による文字認識の結果において認識不能の文字がある場合に、当該認識不能文字を認識不能表示文字で該表示部に示すことを特徴とする、付記１又は付記２記載の媒体処理装置。
（付記４）  媒体上に記載された文字を文字認識し、その文字認識結果を表示部に表示する媒体処理方法であって、
認識対象の文字を記載されるとともに文字認識位置情報と文字属性情報と文字認識位置補正情報と画面表示制御情報とを印刷された媒体から媒体画像を読み取る媒体画像読取ステップと、
該媒体画像読取ステップにおいて読み取られた該媒体画像に基づいて該文字認識位置情報を抽出する文字認識位置情報抽出ステップと、
該媒体画像読取ステップにおいて読み取られた該媒体画像に基づいて該文字属性情報を抽出する文字属性情報抽出ステップと、
該媒体画像読取ステップにおいて読み取られた該媒体画像に基づいて該文字認識位置補正情報を抽出する文字認識位置補正情報抽出ステップと、
該媒体画像読取ステップにおいて読み取られた該媒体画像に基づいて該画面表示制御情報を抽出する画面表示制御情報抽出ステップと、
該書式情報抽出ステップにおいて抽出された該文字認識位置情報に基づいて、該媒体における該文字の認識位置を仮決定する文字認識位置仮決定ステップと、
該文字認識位置補正情報抽出ステップにおいて抽出された該文字認識位置補正情報に基づいて、該文字認識位置仮決定ステップにおいて仮決定された前記文字の認識位置を補正して該文字認識位置を決定する文字認識位置決定ステップと、
該媒体画像と、該文字位置決定ステップにおいて決定された該文字認識位置と、該文字属性情報抽出ステップにおいて抽出された該文字属性情報とに基づいて、該媒体画像における該文字認識位置の文字について文字認識を行なう文字認識ステップと、
該画面表示制御情報抽出ステップにおいて抽出された該画面表示制御情報に基づいて、該文字認識ステップにおいて行なった文字認識結果を該表示部に表示する表示制御ステップとをそなえることを特徴とする、媒体処理方法。
【００７６】
（付記５）  該媒体がエントリ制御情報を印刷されるものであって、
該媒体画像読取ステップにおいて読み取られた該媒体画像に基づいて該エントリ制御情報を抽出するエントリ制御情報抽出ステップをそなえるとともに、
該エントリ制御情報抽出ステップにおいて抽出された該エントリ制御情報に基づいて、該文字認識ステップにおいて文字認識された該文字を用いてデータ処理を行なうエントリ制御ステップをそなえることを特徴とする、付記４記載の媒体処理方法。
【００７７】
（付記６）  該表示制御ステップにおいて、該文字認識ステップにおける文字認識の結果において認識不能の文字がある場合に、当該認識不能文字を認識不能表示文字で該表示部に示すことを特徴とする、付記４又は付記５記載の媒体処理方法。
（付記７）  認識対象の文字を記載されるとともに文字認識位置情報と文字属性情報と文字認識位置補正情報と画面表示制御情報とを印刷された媒体から読み取った媒体画像に基づいて、該文字を文字認識し、その文字認識結果を表示部に表示する媒体画像処理装置であって、
該媒体画像に基づいて該文字認識位置情報を抽出する文字認識位置情報抽出部と、
該媒体画像に基づいて該文字属性情報を抽出する文字属性情報抽出部と、
該媒体画像に基づいて該文字認識位置補正情報を抽出する文字認識位置補正情報抽出部と、
該媒体画像に基づいて該画面表示制御情報を抽出する画面表示制御情報抽出部と、
該書式情報抽出部によって抽出された該文字認識位置情報に基づいて、該媒体における該文字の認識位置を仮決定する文字認識位置仮決定部と、
該文字認識位置補正情報抽出部によって抽出された該文字認識位置補正情報に基づいて、該文字認識位置仮決定部によって仮決定された前記文字の認識位置を補正して該文字認識位置を決定する文字認識位置決定部と、
該媒体画像と、該文字位置決定部によって決定された該文字認識位置と、該文字属性情報抽出部によって抽出された該文字属性情報とに基づいて、該媒体画像における該文字認識位置の文字について文字認識を行なう文字認識部と、
該画面表示制御情報抽出部によって抽出された該画面表示制御情報に基づいて、該文字認識部によって行なった文字認識結果を該表示部に表示する表示制御部とをそなえることを特徴とする、媒体画像処理装置。
【００７８】
（付記８）  該媒体がエントリ制御情報を印刷されるものであって、
該媒体画像に基づいて該エントリ制御情報を抽出するエントリ制御情報抽出部をそなえるとともに、
該エントリ制御情報抽出部によって抽出された該エントリ制御情報に基づいて、該文字認識部によって文字認識された該文字を用いてデータ処理を行なうエントリ制御部をそなえることを特徴とする、付記７記載の媒体画像処理装置。
【００７９】
（付記９）  該表示制御部が、該文字認識部による文字認識の結果において認識不能の文字がある場合に、当該認識不能文字を認識不能表示文字で該表示部に示すことを特徴とする、付記７又は付記８記載の媒体画像処理装置。
（付記１０）  認識対象の文字を記載されるとともに文字認識位置情報と文字属性情報と文字認識位置補正情報と画面表示制御情報とを印刷された媒体から読み取った媒体画像に基づいて、該文字を文字認識し、その文字認識結果を表示部に表示する媒体画像処理方法であって、
該媒体画像に基づいて該文字認識位置情報を抽出する文字認識位置情報抽出ステップと、
該媒体画像に基づいて該文字属性情報を抽出する文字属性情報抽出ステップと、
該媒体画像に基づいて該文字認識位置補正情報を抽出する文字認識位置補正情報抽出ステップと、
該媒体画像に基づいて該画面表示制御情報を抽出する画面表示制御情報抽出ステップと、
該書式情報抽出ステップにおいて抽出された該文字認識位置情報に基づいて、該媒体における該文字の認識位置を仮決定する文字認識位置仮決定ステップと、
該文字認識位置補正情報抽出ステップにおいて抽出された該文字認識位置補正情報に基づいて、該文字認識位置仮決定ステップにおいて仮決定された前記文字の認識位置を補正して該文字認識位置を決定する文字認識位置決定ステップと、
該媒体画像と、該文字位置決定ステップにおいて決定された該文字認識位置と、該文字属性情報抽出ステップにおいて抽出された該文字属性情報とに基づいて、該媒体画像における該文字認識位置の文字について文字認識を行なう文字認識ステップと、
該画面表示制御情報抽出ステップにおいて抽出された該画面表示制御情報に基づいて、該文字認識ステップにおいて行なった文字認識結果を該表示部に表示する表示制御ステップとをそなえることを特徴とする、媒体画像処理方法。
【００８０】
（付記１１）  該媒体がエントリ制御情報を印刷されるものであって、
該媒体画像に基づいて該エントリ制御情報を抽出するエントリ制御情報抽出ステップをそなえるとともに、
該エントリ制御情報抽出ステップにおいて抽出された該エントリ制御情報に基づいて、該文字認識ステップにおいて文字認識された該文字を用いてデータ処理を行なうエントリ制御ステップをそなえることを特徴とする、付記１０記載の媒体画像処理方法。
【００８１】
（付記１２）  該表示制御ステップにおいて、該文字認識ステップにおける文字認識の結果において認識不能の文字がある場合に、当該認識不能文字を認識不能表示文字で該表示部に示すことを特徴とする、付記１０又は付記１１記載の媒体画像処理方法。
（付記１３）  認識対象の文字を記載されるとともに文字認識位置情報と文字属性情報と文字認識位置補正情報と画面表示制御情報とを印刷された媒体から読み取った媒体画像に基づいて、該文字を文字認識し、その文字認識結果を表示部に表示する媒体処理機能をコンピュータに実行させるための媒体画像処理プログラムであって、
該媒体画像に基づいて該文字認識位置情報を抽出する文字認識位置情報抽出部と、
該媒体画像に基づいて該文字属性情報を抽出する文字属性情報抽出部と、
該媒体画像に基づいて該文字認識位置補正情報を抽出する文字認識位置補正情報抽出部と、
該媒体画像に基づいて該画面表示制御情報を抽出する画面表示制御情報抽出部と、
該書式情報抽出部によって抽出された該文字認識位置情報に基づいて、該媒体における該文字の認識位置を仮決定する文字認識位置仮決定部と、
該文字認識位置補正情報抽出部によって抽出された該文字認識位置補正情報に基づいて、該文字認識位置仮決定部によって仮決定された前記文字の認識位置を補正して該文字認識位置を決定する文字認識位置決定部と、
該媒体画像と、該文字位置決定部によって決定された該文字認識位置と、該文字属性情報抽出部によって抽出された該文字属性情報とに基づいて、該媒体画像における該文字認識位置の文字について文字認識を行なう文字認識部と、
該画面表示制御情報抽出部によって抽出された該画面表示制御情報に基づいて、該文字認識部によって行なった文字認識結果を該表示部に表示する表示制御部部として、該コンピュータを機能させることを特徴とする、媒体画像処理プログラム。
【００８２】
（付記１４）  該媒体がエントリ制御情報を印刷されるものであって、
該媒体画像に基づいて該エントリ制御情報を抽出するエントリ制御情報抽出部として該コンピュータを機能させるとともに、
該エントリ制御情報抽出部によって抽出された該エントリ制御情報に基づいて、該文字認識部によって文字認識された該文字を用いてデータ処理を行なうエントリ制御部として該コンピュータを機能させることを特徴とする、付記１３記載の媒体画像処理プログラム。
【００８３】
（付記１５）  該表示制御部として該コンピュータを機能させる際に、該文字認識部による文字認識の結果において認識不能の文字がある場合に、当該認識不能文字を認識不能表示文字で該表示部に示させるように、該コンピュータを機能させることを特徴とする、付記１３又は付記１４記載の媒体画像処理プログラム。
（付記１６）  認識対象の文字を記載されるとともに文字認識位置情報と文字属性情報と文字認識位置補正情報と画面表示制御情報とを印刷された媒体から読み取った媒体画像に基づいて、該文字を文字認識し、その文字認識結果を表示部に表示する媒体処理機能をコンピュータに実行させるための媒体画像処理プログラムを記録したコンピュータ読取可能な記録媒体であって、
該媒体画像処理プログラムが、
該媒体画像に基づいて該文字認識位置情報を抽出する文字認識位置情報抽出部と、
該媒体画像に基づいて該文字属性情報を抽出する文字属性情報抽出部と、
該媒体画像に基づいて該文字認識位置補正情報を抽出する文字認識位置補正情報抽出部と、
該媒体画像に基づいて該画面表示制御情報を抽出する画面表示制御情報抽出部と、
該書式情報抽出部によって抽出された該文字認識位置情報に基づいて、該媒体における該文字の認識位置を仮決定する文字認識位置仮決定部と、
該文字認識位置補正情報抽出部によって抽出された該文字認識位置補正情報に基づいて、該文字認識位置仮決定部によって仮決定された前記文字の認識位置を補正して該文字認識位置を決定する文字認識位置決定部と、
該媒体画像と、該文字位置決定部によって決定された該文字認識位置と、該文字属性情報抽出部によって抽出された該文字属性情報とに基づいて、該媒体画像における該文字認識位置の文字について文字認識を行なう文字認識部と、
該画面表示制御情報抽出部によって抽出された該画面表示制御情報に基づいて、該文字認識部によって行なった文字認識結果を該表示部に表示する表示制御部部として、該コンピュータを機能させることを特徴とする、媒体画像処理プログラムを記録したコンピュータ読取可能な記録媒体。
【００８４】
（付記１７）  該媒体がエントリ制御情報を印刷されるものであって、
該媒体画像処理プログラムが、
該媒体画像に基づいて該エントリ制御情報を抽出するエントリ制御情報抽出部として該コンピュータを機能させるとともに、
該エントリ制御情報抽出部によって抽出された該エントリ制御情報に基づいて、該文字認識部によって文字認識された該文字を用いてデータ処理を行なうエントリ制御部として該コンピュータを機能させることを特徴とする、付記１６記載の媒体画像処理プログラムを記録したコンピュータ読取可能な記録媒体。
【００８５】
（付記１８）  該媒体画像処理プログラムが、該表示制御部として該コンピュータを機能させる際に、該文字認識部による文字認識の結果において認識不能の文字がある場合に、当該認識不能文字を認識不能表示文字で該表示部に示させるように、該コンピュータを機能させることを特徴とする、付記１６又は付記１７記載の媒体画像処理プログラムを記録したコンピュータ読取可能な記録媒体。
【００８６】
（付記１９）  文字を記入可能な文字記入領域をそなえる帳票であって、
該文字記入領域の位置を示す文字認識位置情報と、
該文字記入領域に記入される該文字の属性に関する属性情報を示す文字属性情報と、
当該帳票を画像読取装置によって読み取って作成される帳票画像における、該文字記入領域の位置に関する補正情報を示す文字認識位置補正情報と、
該帳票画像に基づいて該文字について文字認識した結果を表示装置に表示させるための画面表示制御情報を示す画面表示制御情報とをそなえることを特徴とする、帳票。
【００８７】
（付記２０）  前記文字認識した結果に対するデータ処理に関する情報を示すエントリ制御情報をそなえることを特徴とする、付記１９記載の帳票。
【図面の簡単な説明】
【００８８】
【図１】本発明の一実施形態としてのＯＣＲ装置の構成を模式的に示す図である。
【図２】本発明の一実施形態としてのＯＣＲ装置によって読み取られる帳票の例を示す図である。
【図３】（ａ），（ｂ）は本発明の一実施形態としてのＯＣＲ装置によって読み取られる帳票に印刷されるバーコードの例を説明するための図である。
【図４】（ａ），（ｂ）は本発明の一実施形態としてのＯＣＲ装置によって読み取られる帳票に印刷されるバーコードの例を説明するための図である。
【図５】（ａ），（ｂ）は本発明の一実施形態としてのＯＣＲ装置によって読み取られる帳票に印刷されるバーコードの例を説明するための図である。
【図６】（ａ），（ｂ）は本発明の一実施形態としてのＯＣＲ装置によって読み取られる帳票に印刷されるバーコードの例を説明するための図である。
【図７】（ａ），（ｂ）は本発明の一実施形態としてのＯＣＲ装置によって読み取られる帳票に印刷されるバーコードの例を説明するための図である。
【図８】（ａ），（ｂ）は本発明の一実施形態としてのＯＣＲ装置によって読み取られる帳票に印刷されるバーコードの例を説明するための図である。
【図９】（ａ），（ｂ）は本発明の一実施形態としてのＯＣＲ装置によって読み取られる帳票に印刷されるバーコードの例を説明するための図である。
【図１０】（ａ），（ｂ）は本発明の一実施形態としてのＯＣＲ装置によって読み取られる帳票に印刷されるバーコードの例を説明するための図である。
【図１１】（ａ），（ｂ）は本発明の一実施形態としてのＯＣＲ装置によって読み取られる帳票に印刷されるバーコードの例を説明するための図である。
【図１２】本発明の一実施形態としてのＯＣＲ装置のディスプレイに表示された文字認識結果の例を示す図である。
【図１３】本発明の一実施形態としてのＯＣＲ装置のディスプレイに表示された文字認識結果の例を示す図である。
【図１４】本発明の一実施形態としてのＯＣＲ装置における帳票の読み取りおよびその文字認識にかかる処理を説明するためのフローチャートである。
【符号の説明】
【００８９】
１    ＯＣＲ装置（媒体処理装置，媒体画像処理装置）
２    制御部
３    イメージ読取処理部
４    情報抽出処理部
５    文字認識制御部
６    場面制御部
７    イメージリーダ（媒体画像読取部）
８    書式情報抽出処理部（文字認識位置情報抽出部，文字属性情報抽出部）
９    文字認識位置補正情報抽出処理部（文字認識位置補正情報抽出部）
１０    エントリ制御情報抽出処理部（エントリ制御情報抽出部）
１１    文字認識位置仮決定処理部（文字認識位置仮決定部）
１２    文字認識位置決定処理部（文字認識位置決定部）
１３    文字認識処理部（文字認識部）
１４    画面表示処理部（表示制御部）
１５    ディスプレイ（表示部）
１６    エントリ制御処理部
１７    画面表示制御情報抽出処理部（画面表示制御情報抽出）
２０    帳票（媒体）
２１    文字記入部
２１ａ    帳票ＩＤ記入領域（文字記入領域）
２１ｂ    名前記入領域（文字記入領域）
２１ｃ    連絡先記入領域（文字記入領域）
２１ｄ    帳票通番記入領域（文字記入領域）
２２    書式情報印刷部
３０    ＣＰＵ
３１    メモリ
３２    ハードディスク
３４    キーボード
３５    マウス
２２１    項目数バーコード
２２２−１，２２２−２，２２２−３，２２２−４    項目番号バーコード
２２３−１    帳票ＩＤ左上認識座標バーコード（文字認識位置情報）
２２３−２    名前左上認識座標バーコード（文字認識位置情報）
２２３−３    連絡先左上認識座標バーコード（文字認識位置情報）
２２３−４    帳票左上認識座標バーコード（文字認識位置情報）
２２４−１    帳票ＩＤ右下認識座標バーコード（文字認識位置情報）
２２４−２    名前右下認識座標バーコード（文字認識位置情報）
２２４−３    連絡先右下認識座標バーコード（文字認識位置情報）
２２４−４    帳票通番右下認識座標バーコード（文字認識位置情報）
２２５−１    帳票ＩＤカテゴリ／桁数バーコード（文字属性情報）
２２５−２    名前カテゴリ／桁数バーコード（文字属性情報）
２２５−３    連絡先カテゴリ／桁数バーコード（文字属性情報）
２２５−４    帳票通番カテゴリ／桁数バーコード（文字属性情報）
２２６−１    帳票ＩＤ画面表示情報バーコード（画面表示制御情報）
２２６−２    名前画面表示情報バーコード（画面表示制御情報）
２２６−３    連絡先画面表示情報バーコード（画面表示制御情報）
２２６−４    帳票通番画面表示情報バーコード（画面表示制御情報）
２２７    座標補正情報バーコード（文字認識位置補正情報）
２２８ａ，２２８ｂ    エントリ制御情報バーコード（エントリ制御情報）
３１１，３２１    書式情報格納領域
３１２，３２２    認識結果格納領域
【図１】
2005284927.tif 000003
【図２】
2005284927.tif 000004
【図３】
2005284927.tif 000005
【図４】
2005284927.tif 000006
【図５】
2005284927.tif 000007
【図６】
2005284927.tif 000008
【図７】
2005284927.tif 000009
【図８】
2005284927.tif 000010
【図９】
2005284927.tif 000011
【図１０】
2005284927.tif 000012
【図１１】
2005284927.tif 000013
【図１２】
2005284927.tif 000014
【図１３】
2005284927.tif 000015
【図１４】
2005284927.tif 000016